(57)【要約】      （修正有）【課題】配管工事のやり直しを行う必要なしに、既設の第１のメータをそれより面間寸法が短い第２のメータに交換することを可能にする水道メータ用アダプタを提供する。【解決手段】アダプタ１１は貫通孔を有し、その貫通孔は、アダプタの軸方向一端側の小径部と、該小径部の内端部において径方向に広がる肩部を介して小径部に繋がる他端側の大径部とからなる。他端側には第２のメータの流入口３或いは流出口５に設けられたオネジ４に螺合するメネジを備え、一端側の外周に第２のメータのオネジと同じ径のオネジを備える。アダプタをメータに組み付けたときにメータの流入口或いは流出口の端部が前記肩部に当接し、肩部とアダプタの一端側端部との間の距離が、第１のメータと第２のメータとの面間寸法の差に等しくなるように寸法を設定する。【選択図】図１
0003165658.tif 000002
【実用新案登録請求の範囲】
【請求項１】
設置済みの第１の水道メータを面間寸法が第１のメータより短い第２の水道メータに交換する際に第２のメータに取付けて使用するアダプタにおいて、前記アダプタは貫通孔を有する筒状部材であり、前記貫通孔は、前記アダプタの軸方向一端側の小径部と、該小径部の内端部において径方向に広がる肩部を介して前記小径部に繋がる他端側の大径部とからなり、前記他端側において前記第２のメータの流入口或いは流出口に設けられたオネジに螺合するメネジを備え、前記一端側の外周に前記第２のメータの前記オネジと同じ径のオネジを備え、前記アダプタを前記第２のメータに組み付けたときに前記第２のメータの流入口或いは流出口の端部が前記肩部に当接し、前記肩部と前記一端側端部との間の距離が、前記第１のメータと第２のメータとの面間寸法の差に等しいことを特徴とする、水道メータ用アダプタ。
【請求項２】
請求項１記載の水道メータ用アダプタにおいて、前記肩部には、前記貫通孔の前記小径部を囲む形で円周溝が形成され、該円周溝にシールリングが収受され、前記第２のメータの前記流入口或いは流出口の端部が前記肩部に当接することにより前記シールリングが圧縮され、前記アダプタと前記第２のメータとの間を封止することを特徴とする、水道メータ用アダプタ。
【請求項３】
請求項２記載の水道メータ用アダプタにおいて、前記円周溝は少なくとも外周側の壁が前記溝の開口側に向かうにつれて前記溝の幅が狭くなるように傾斜して形成されていることを特徴とする、水道メータ用アダプタ。
【考案の詳細な説明】
【技術分野】
【０００１】
本願考案は、水道メータ用アダプタに関する。さらに詳細に言えば、水道メータを交換するに当たり、新たに設置するメータの面間寸法が既設のメータの面間寸法より短い場合に、その新規に設置するメータに取付けて使用するアダプタに関する。
【背景技術】
【０００２】
現在法律の規定により水道メータは８年毎に交換することになっている。ところで現在使用されているメータは、水道の流入口端部と流出口端部との間の寸法、所謂面間寸法が１６５mmと１００mmのものが一般的である。しかし、水道事業体によっては例外的に例えば面間寸法が１１４mmのメータが使用されてきた。しかし前述のように面間寸法１６５mm、１００mmのものが一般的であるので、そちらの方が面間寸法１１４mmのメータより入手が容易である。そこでメータ交換の際に、それまで使用されていた面間寸法１１４mmのメータに代えて面間寸法１００mmのメータを使用できれば好都合である。
【０００３】
しかし、メータの両側に接続される止水栓、逆止弁などを含めた配管は当然に面間寸法１１４mmのメータに合わせて寸法を定めて設置されており、例えば面間寸法１００mmのメータを以って交換しようとすると、そのままでは配管の長さが足りず、配管工事をやり直す必要がある。しかしメータの上、下流側の配管は通常地中に埋設してあり、新たに配管工事をし直すには多大な手間と費用が掛かる。
【０００４】
ところで、面間寸法１６５mmの既設のメータを６５mmの補足管を用いて面間寸法１００mmのメータに交換することがある。この場合は、補足管の長さが十分にあるので、補足管に配管と接続するためのネジを形成することが可能である。しかし、面間寸法１１４mmのメータを１００mmの面間寸法のメータに交換するのに１４mmの長さの補足管を使用しようとしても、長さが十分でないので配管と強固、確実な接続を確保できるだけの長さを備えたネジを形成することができない。
【０００５】
これまでにこのような問題は余り問題とされず、これに対処した技術を開示するような文献について出願人は知らない。
【考案の概要】
【考案が解決しようとする課題】
【０００６】
本願考案は上記従来の問題点に鑑みなされたものであり、水道メータの交換に当たり、新規に設置するメータが交換対象のメータより面間寸法が短くても、メータの上下流の配管工事をし直す必要なしにその使用を可能とし、それにより、入手し易い一般的な寸法のメータの使用を可能にする水道メータ用アダプタを提供することをその課題とする。
【課題を解決するための手段】
【０００７】
上記課題を解決するために本願考案は、設置済みの第１の水道メータを面間寸法が第１のメータより短い第２の水道メータに交換する際に第２のメータに取付けて使用するアダプタを提供する。そのアダプタは貫通孔を有する筒状部材であり、その貫通孔は、アダプタの軸方向一端側の小径部と、該小径部の内端部において径方向に広がる肩部を介して小径部に繋がる他端側の大径部とからなる。そしてアダプタ他端側には第２のメータの流入口或いは流出口に設けられたオネジに螺合するメネジを備え、アダプタの一端側の外周に第２のメータのオネジと同じ径のオネジを備えている。アダプタを第２のメータに組み付けたときに第２のメータの流入口或いは流出口の端部がアダプタの肩部に当接する。そして肩部と一端側端部との間の距離が、第１のメータと第２のメータとの面間寸法の差に等しくなっている。
そのアダプタの肩部には、貫通孔の小径部を囲む形で円周溝が形成され、該円周溝にシールリングが収受され、第２のメータの流入口或いは流出口の端部が肩部に当接することによりシールリングが圧縮され、アダプタと第２のメータとの間を封止する。
肩部に形成した円周溝は、少なくとも外周側の壁が溝の開口側に向かうにつれて溝の幅が狭くなるように傾斜するように形成する。
【考案の効果】
【０００８】
上記のとおりのアダプタを使用することにより、メータの上流側及び下流側の配管工事をやり直す必要なしに、面間寸法が一般的でない既設のメータを、面間寸法が一般的で入手しやすいメータに交換することができる。
また、肩部に円周溝を形成し、そこにシールリングを収受し、これを用いてメータとアダプタとの間の封止を行うようにしたので、特注のユニオンパッキンを使用する必要がなく、安価に封止を行うことができる。
また、円周溝をアリミゾの形に形成したので、一旦取付けたシールリングが作業中に外れることがなく、作業性に優れる。
【図面の簡単な説明】
【０００９】
【図１】本願考案のアダプタを取り付けた状態の水道メータの一部切欠側面図である。
【図２】シールリングを取付けた状態のアダプタの縦断面図である。
【考案を実施するための最良の形態】
【００１０】
以下図面を参照して本願考案の実施形態に係る水道メータ用アダプタについて説明する。図１は水道メータに本願考案の一実施の形態に係るアダプタを取付けた状態の一部切欠正面図であり、図２はシールリングを取付けた状態でのアダプタの縦断面図である。
【００１１】
図１に示すように、この実施の形態ではで、メータ１の流入口３にアダプタ１１を取付けてあるが、流出口５に取付けて使用することも可能である。メータ１は交換後のメータであり、流入口３側端部と流出口５側端部との間の寸法、面間寸法Ｌ１は交換前に設置されていたメータ（図示せず）の面間寸法Ｌ２より短くなっている。すなわち、交換前に設置されていたメータは、面間寸法が例えば１１４mmである余り一般的なメータではなく、交換後のメータ１は面間寸法が１００mmの一般的なもので、入手し易いものである。メータ１の上流側（図１において左側）には図示しない止水栓などを含んだ上流側配管が施されており、下流側には例えば逆止弁などを含んだ下流側配管が施されている。
【００１２】
アダプタ１１は貫通孔１３を備え、その貫通孔１３は、アダプタ１１の軸方向一端側、すなわちメータ１に取付けたときに上流側となる小径部１５と、他端側、すなわち下流側となる、小径部１５より径の大きい大径部１７とからなる。小径部１５と大径部１７との境界部は径方向に広がる肩部１９となっている。アダプタ１１の外径も一端側が他端側より小さくなっている。
【００１３】
アダプタ１１の軸方向一端側の外周にはメータ１の流入口３或いは流出口５のオネジと同じ径のオネジ２１が形成されている。一方、他端側の貫通孔１３の大径部１７には、メータ１の流入口３の外周に形成されたオネジ４に螺合するメネジ１８が形成されている。なお、メータの流入口３と流出口５に形成されるオネジは同じ寸法であり、メータの呼径に応じて寸法が決まっている。
【００１４】
貫通孔１３内の肩部１９には、貫通孔１３の小径部１５を囲むように円周方向に伸びる溝２３が形成されている。この円周溝２３は、外周側の壁面が溝２３の出口に向かうにつれて溝２３の幅が小さくなるように傾斜しており、溝２３は所謂アリミゾの形に形成されている。円周溝２３の中には本実施の形態ではＯリングで構成されるシールリング２５が収受されている。円周溝２３がアリミゾの形になっているので、一端溝２３内に収受されたシールリングは外れにくくなっている。
【００１５】
アダプタ１１の肩部１９から一端側の端部までの長さは、図１に示すように、交換前に設置されていたメータの面間寸法Ｌ２と交換後のメータ１の面間寸法Ｌ１との差に等しくなっている。従って、シールリング２５を取付けた状態で図１に示すようにアダプタ１１のメネジ１８をメータ１の流入口３のオネジ４に螺合させ、メータ１の流入口３の端部がアダプタ１１の貫通孔１３内の肩部１９に当接するまで締め付けると、メータ１の流出口５側端部からアダプタ１１の一端側の端部までの長さは交換前のメータの面間寸法と一致することとなる。なお、このときシールリング２５が圧縮され、十分な封止を行う。従って、このように面間寸法の長いメータを面間寸法が短いメータに交換しても、改めてメータの両側の配管にはなんら手を加える必要がなく、追加の配管工事などを行う必要がなく、簡単にメータの交換作業を行える。
【００１６】
なお、本実施の形態ではアダプタ１１とメータ１との間の封止を行うために、アダプタ１１の肩部１９に円周溝を形成し、そこにシールリングとしてのＯリング２５を配置し、これにメータ１の流入口３側端面を押付けて圧縮する構成とした。通常、配管の端面とメータの流入口あるいは流出口端面との間にはユニオンパッキンを配置して、これを圧縮してメータと配管との当接部を封止するようになっている。その場合、メータの呼び径によってユニオンパッキンの寸法は規格で定められている。しかし、本考案のようなアダプタを使用する場合、規格のユニオンパッキンは使用できず、特注品を使用しなければならず、コストアップとなる。しかし、本実施の形態では上記の如く肩部に円周溝を形成し、そこに収受したＯリングを圧縮して封止するようにした。Ｏリングは各種寸法のものが多数市販されており、簡単入手でき、コストアップともならない。
【図１】
0003165658.tif 000003
【図２】
0003165658.tif 000004